(57)【要約】【課題】コンテンツ提示用情報の更新の影響が他のユーザに及ぶことを防ぐ。【解決手段】コンテンツ管理装置１は、コンテンツ１５のタイトル変更指示を受信して、該指示の送信元が家庭内ネットワーク内の機器であるか識別し、使用リスト判定用情報１８を参照して、家庭内用リスト１６および家庭外用リスト１７のうち、上記識別した送信元に対応付けられているリストを更新するコンテンツ管理部１３を備えている。【選択図】図１
2013191935.tif 000002
【特許請求の範囲】
【請求項１】
複数のユーザのアクセスの対象となるコンテンツを管理するコンテンツ管理装置であって、
上記コンテンツを上記ユーザに提示するためのコンテンツ提示用情報の更新指示を受信したときに、該更新指示の送信元を識別する識別手段と、
上記送信元と上記コンテンツ提示用情報との対応を示す対応情報を参照して、複数のコンテンツ提示用情報のうち、上記識別手段の識別した送信元に対応するコンテンツ提示用情報を特定し、該特定したコンテンツ提示用情報を更新する更新手段とを備えていることを特徴とするコンテンツ管理装置。
【請求項２】
上記識別手段は、上記コンテンツ提示用情報の送信指示を受信したときに、該送信指示の送信元を識別し、
上記対応情報を参照して、複数のコンテンツ提示用情報のうち、上記識別手段が識別した送信元に対応するコンテンツ提示用情報を、該送信元に送信する送信手段を備えていることを特徴とする請求項１に記載のコンテンツ管理装置。
【請求項３】
上記更新手段は、上記コンテンツの名称を変更する指示を受信したときに、上記識別手段が識別した送信元に対応するコンテンツ提示用情報において、当該コンテンツの名称を変更することを特徴とする請求項１または２に記載のコンテンツ管理装置。
【請求項４】
上記更新手段は、上記コンテンツを削除する指示を受信したときに、削除を指示されたコンテンツを、上記識別手段が識別した送信元に対応するコンテンツ提示用情報から削除することを特徴とする請求項１から３の何れか１項に記載のコンテンツ管理装置。
【請求項５】
上記識別手段は、上記送信元が、上記コンテンツ管理装置が接続しているローカルエリアネットワーク内の機器であるか、該ローカルエリアネットワーク外の機器であるかを識別し、
上記更新手段は、上記識別手段の識別結果に応じて、複数のコンテンツ提示用情報のうち、上記ローカルエリアネットワーク内の機器用のコンテンツ提示用情報、または上記ローカルエリアネットワーク外の機器用のコンテンツ提示用情報を更新することを特徴とする請求項１から４の何れか１項に記載のコンテンツ管理装置。
【請求項６】
複数のユーザのアクセスの対象となるコンテンツを管理するコンテンツ管理装置であって、
上記コンテンツを上記ユーザに提示するためのコンテンツ提示用情報の更新指示を受信したときに、該更新指示の送信元を識別する識別手段と、
上記識別手段の識別した送信元と、受信した上記更新指示の内容とを対応付けた更新指示履歴情報を生成して記憶する履歴管理手段とを備えていることを特徴とするコンテンツ管理装置。
【請求項７】
上記識別手段は、上記コンテンツ提示用情報の送信指示を受信したときに、該送信指示の送信元を識別し、
上記更新指示履歴情報を参照して、上記識別手段が識別した送信元に対応付けられた更新指示の内容を反映させたコンテンツ提示用情報を、該送信元に送信する送信手段を備えていることを特徴とする請求項６に記載のコンテンツ管理装置。
【請求項８】
複数のユーザのアクセスの対象となるコンテンツを管理するコンテンツ管理装置によるコンテンツ管理方法であって、
上記コンテンツを上記ユーザに提示するためのコンテンツ提示用情報の更新指示を受信したときに、該更新指示の送信元を識別する識別ステップと、
上記送信元と上記コンテンツ提示用情報との対応を示す対応情報を参照して、複数のコンテンツ提示用情報のうち、上記識別ステップで識別した送信元に対応するコンテンツ提示用情報を特定し、該特定したコンテンツ提示用情報を更新する更新ステップとを含むことを特徴とするコンテンツ管理方法。
【請求項９】
複数のユーザのアクセスの対象となるコンテンツを管理するコンテンツ管理装置によるコンテンツ管理方法であって、
上記コンテンツを上記ユーザに提示するためのコンテンツ提示用情報の更新指示を受信したときに、該更新指示の送信元を識別する識別ステップと、
上記識別ステップで識別した送信元と、受信した上記更新指示の内容とを対応付けた更新指示履歴情報を生成して記憶する履歴管理ステップとを含むことを特徴とするコンテンツ管理方法。
【請求項１０】
請求項１から７の何れか１項に記載のコンテンツ管理装置を動作させるための制御プログラムであって、コンピュータを上記各手段として機能させるための制御プログラム。
【請求項１１】
請求項１０に記載の制御プログラムを記録したコンピュータ読み取り可能な記録媒体。
【請求項１２】
請求項１から７の何れか１項に記載のコンテンツ管理装置を備えたテレビジョン受像機。
【発明の詳細な説明】
【技術分野】
【０００１】
本発明は、コンテンツの管理に関し、より詳細には複数の機器のアクセスの対象となるコンテンツを管理する技術に関する。
【背景技術】
【０００２】
近年、内蔵または外付けのＨＤＤ（Hard Disk Drive）に録画のできるテレビジョン受像機（以下、単にテレビと呼ぶ）やレコーダが普及している。このような機器では、ＨＤＤの記録容量には限りがあるため、記録容量が一杯になる前に、録画コンテンツを消去したり、他の記録装置や記録媒体等に移動したりする必要がある。
【０００３】
また、ＨＤＤへの録画を行うことができると共に、ＤＬＮＡ（Digital Living Network Alliance）に対応しているテレビやレコーダも普及している。このような機器では、ＨＤＤに記録したコンテンツをネットワークに接続されている他の機器に容易に移動させることができる。
【０００４】
そして、ＤＬＮＡのサーバー（ＤＭＳ：Digital Media Server）として機能するＮＡＳ（Network Attached Storage）等の機器に移動させた場合には、移動後もその機器からコンテンツを転送させることにより、コンテンツの視聴が可能となる。
【０００５】
しかしながら、他の機器にコンテンツを移動させてしまうと、元のＨＤＤからはそのコンテンツが消えてしまうため、移動先を覚えていなければ、そのコンテンツを再生することができないという問題がある。つまり、ユーザは、移動させたコンテンツを再生する際には、そのコンテンツの移動先の機器を探して、これに接続し、さらにこの機器が格納しているコンテンツの中から所望のコンテンツを探すという煩雑な操作を強いられる。
【０００６】
このような問題を解決するための技術として、例えば下記の特許文献１が挙げられる。下記特許文献１には、あるＨＤＤレコーダに録画されたコンテンツを、他のＨＤＤレコーダにダビングしたときに、このコンテンツのオブジェクトＩＤを用いてライブラリ情報を生成することが記載されている。
【０００７】
このようなライブラリ情報を生成して記憶しておくことにより、コンテンツの移動後もライブラリ情報を参照することによって、そのコンテンツの存在を認識することができる。また、ライブラリ情報に含まれるオブジェクトＩＤを用いて、コンテンツの保存先を特定することができるので、このコンテンツにアクセスすることも可能になる。
【０００８】
このように、ネットワーク上の機器にコンテンツを蓄積しておき、これに対して他の機器からアクセスすることによって、１つのコンテンツを複数のユーザで共有できる環境が整いつつある。
【先行技術文献】
【特許文献】
【０００９】
【特許文献１】特開２００７−１５８４４４号公報（２００７年６月２１日公開）
【発明の概要】
【発明が解決しようとする課題】
【００１０】
ところで、ユーザが視聴対象のコンテンツを確認する際には、コンテンツのリストを表示させることが一般的になっている。そして、このようなリストでは、コンテンツのタイトルのリネーム等の編集が可能になっている。
【００１１】
つまり、コンテンツのリストの表示態様を自分好みにアレンジしたいというニーズが存在する。そして、このようなニーズは、複数のユーザがアクセスし得る共有のコンテンツにおいても存在すると考えられる。
【００１２】
しかしながら、複数のユーザがアクセスし得るコンテンツにおいて、これをユーザに提示するためのコンテンツ提示用情報（コンテンツリストを表示させるための情報）の更新を誰でも自由に行うことができるようにした場合、提示される情報が意図せず変更されてしまうという問題が生じる。
【００１３】
例えば、あるコンテンツにアクセス可能なユーザＡとＢが居た場合、ユーザＡが知らないところで、ユーザＢがコンテンツのタイトルを変更することが考えられる。この場合、ユーザＡはタイトルが変更されたことを知らないため、そのコンテンツを認識できなくなってしまう。
【００１４】
本発明は、上記の問題点に鑑みてなされたものであり、その目的は、あるユーザがコンテンツ提示用情報に対して行った更新の影響が他のユーザに及ぶことを防ぐコンテンツ管理装置等を提供することにある。
【課題を解決するための手段】
【００１５】
上記の課題を解決するために、本発明のコンテンツ管理装置は、複数のユーザのアクセスの対象となるコンテンツを管理するコンテンツ管理装置であって、上記コンテンツを上記ユーザに提示するためのコンテンツ提示用情報の更新指示を受信したときに、該更新指示の送信元を識別する識別手段と、上記送信元と上記コンテンツ提示用情報との対応を示す対応情報を参照して、複数のコンテンツ提示用情報のうち、上記識別手段の識別した送信元に対応するコンテンツ提示用情報を特定し、該特定したコンテンツ提示用情報を更新する更新手段とを備えていることを特徴としている。
【００１６】
また、本発明のコンテンツ管理方法は、上記の課題を解決するために、複数のユーザのアクセスの対象となるコンテンツを管理するコンテンツ管理装置によるコンテンツ管理方法であって、上記コンテンツを上記ユーザに提示するためのコンテンツ提示用情報の更新指示を受信したときに、該更新指示の送信元を識別する識別ステップと、上記送信元と上記コンテンツ提示用情報との対応を示す対応情報を参照して、複数のコンテンツ提示用情報のうち、上記識別ステップで識別した送信元に対応するコンテンツ提示用情報を特定し、該特定したコンテンツ提示用情報を更新する更新ステップとを含むことを特徴としている。
【００１７】
上記の構成によれば、コンテンツ提示用情報の更新指示を受信したときに、該更新指示の送信元を識別する。そして、送信元とコンテンツ提示用情報との対応を示す対応情報を参照して、複数のコンテンツ提示用情報のうち、上記識別した送信元に対応するコンテンツ提示用情報を更新する。
【００１８】
したがって、あるユーザがコンテンツ提示用情報に対して行った更新の影響が他のユーザに及ぶことを防ぐことが可能になる。例えば、ユーザがあるコンテンツのタイトルをリネームした場合に、そのユーザのコンテンツ提示用情報を更新し、他のユーザのコンテンツ提示用情報は更新しないことにより、他のユーザにはリネーム前のタイトルを提示することも可能になる。
【００１９】
なお、更新指示の送信元の識別は、送信元のユーザの識別であってもよいが、対象とするユーザがある程度特定できるものであればよく、これに限られない。例えば、送信元のユーザが属するグループの識別、送信元の機器の識別、あるいは送信元の機器が接続するネットワークの識別等であってもよい。
【００２０】
また、コンテンツ提示用情報の更新指示とは、コンテンツの提示の内容や態様を変えるための指示である。例えば、コンテンツの名称（タイトル）、表示順、分類方式等を変える指示がこれに含まれる。
【００２１】
また、上記識別手段は、上記コンテンツ提示用情報の送信指示を受信したときに、該送信指示の送信元を識別し、上記コンテンツ管理装置は、上記対応情報を参照して、複数のコンテンツ提示用情報のうち、上記識別手段が識別した送信元に対応するコンテンツ提示用情報を、該送信元に送信する送信手段を備えていることが好ましい。
【００２２】
上記の構成によれば、コンテンツ提示用情報の送信指示を受信したときに、該送信指示の送信元を識別し、複数のコンテンツ提示用情報のうち、上記識別した送信元に対応するコンテンツ提示用情報を、該送信元に送信する。
【００２３】
したがって、上記送信元は、自身が行った更新指示が反映されたコンテンツ提示用情報を受信することができる。
【００２４】
また、上記リスト更新手段は、上記コンテンツの名称を変更する指示を受信したときに、上記識別手段が識別した送信元に対応するコンテンツ提示用情報において、当該コンテンツの名称を変更することが好ましい。
【００２５】
上記の構成によれば、コンテンツの名称を変更する指示を受信したときに、識別した送信元に対応するコンテンツ提示用情報において、そのコンテンツの名称を変更する。
【００２６】
したがって、あるユーザが行ったコンテンツの名称変更の影響が他のユーザに及ぶことを防ぐことが可能になり、ユーザごとに個別の名称でコンテンツを確認することも可能になる。
【００２７】
また、上記更新手段は、上記コンテンツを削除する指示を受信したときに、削除を指示されたコンテンツを、上記識別手段が識別した送信元に対応するコンテンツ提示用情報から削除することが好ましい。
【００２８】
上記の構成によれば、コンテンツを削除する指示を受信したときに、削除を指示されたコンテンツを、識別した送信元に対応するコンテンツ提示用情報から削除する。これにより、削除を指示した送信元は、このコンテンツを認識することができなくなる。また、削除を指示されたコンテンツの実体は削除する必要がないため、このコンテンツへの他のユーザのアクセスの余地を残すことができる。
【００２９】
したがって、あるユーザが行ったコンテンツの削除の影響が他のユーザに及ぶことを防ぐことが可能になる。
【００３０】
また、上記識別手段は、上記送信元が、上記コンテンツ管理装置が接続しているローカルエリアネットワーク内の機器であるか、該ローカルエリアネットワーク外の機器であるかを識別し、上記更新手段は、上記識別手段の識別結果に応じて、複数のコンテンツ提示用情報のうち、上記ローカルエリアネットワーク内の機器用のコンテンツ提示用情報、または上記ローカルエリアネットワーク外の機器用のコンテンツ提示用情報を更新することが好ましい。
【００３１】
上記の構成によれば、送信元が、コンテンツ管理装置が接続しているローカルエリアネットワーク内の機器であるか、該ローカルエリアネットワーク外の機器であるかを識別する。そして、この識別結果に応じて、複数のコンテンツ提示用情報のうち、ローカルエリアネットワーク内の機器用のコンテンツ提示用情報、またはローカルエリアネットワーク外の機器用のコンテンツ提示用情報を更新する。
【００３２】
したがって、ローカルエリアネットワーク内の機器は、ローカルエリアネットワーク外の機器に影響を与えずに、コンテンツ提示用情報を更新することができる。同様に、ローカルエリアネットワーク外の機器は、ローカルエリアネットワーク内の機器に影響を与えずに、コンテンツ提示用情報を更新することができる。
【００３３】
また、本発明の他のコンテンツ管理装置は、上記の課題を解決するために、複数のユーザのアクセスの対象となるコンテンツを管理するコンテンツ管理装置であって、上記コンテンツを上記ユーザに提示するためのコンテンツ提示用情報の更新指示を受信したときに、該更新指示の送信元を識別する識別手段と、上記識別手段の識別した送信元と、受信した上記更新指示の内容とを対応付けた更新指示履歴情報を生成して記憶する履歴管理手段とを備えていることを特徴としている。
【００３４】
そして、本発明の他のコンテンツ管理方法は、上記の課題を解決するために、複数のユーザのアクセスの対象となるコンテンツを管理するコンテンツ管理装置によるコンテンツ管理方法であって、上記コンテンツを上記ユーザに提示するためのコンテンツ提示用情報の更新指示を受信したときに、該更新指示の送信元を識別する識別ステップと、上記識別ステップで識別した送信元と、受信した上記更新指示の内容とを対応付けた更新指示履歴情報を生成して記憶する履歴管理ステップとを含むことを特徴としている。
【００３５】
上記の構成によれば、コンテンツをユーザに提示するためのコンテンツ提示用情報の更新指示を受信したときに、該更新指示の送信元を識別する。そして、識別した送信元と、受信した更新指示の内容とを対応付けた更新指示履歴情報を生成して記憶する。
【００３６】
このように、更新指示の内容をコンテンツ提示用情報に反映させるのではなく、更新指示履歴情報として記憶することにより、コンテンツ提示用情報を参照する機器やユーザ等に応じて更新指示履歴情報の更新指示を反映させるか否かを選択することが可能になる。したがって、あるユーザが行った更新の影響が他のユーザに及ぶことを防ぐことが可能になる。
【００３７】
また、上記識別手段は、上記コンテンツ提示用情報の送信指示を受信したときに、該送信指示の送信元を識別し、上記コンテンツ管理装置は、上記更新指示履歴情報を参照して、上記識別手段が識別した送信元に対応付けられた更新指示の内容を反映させたコンテンツ提示用情報を、該送信元に送信する送信手段を備えていることが好ましい。
【００３８】
上記の構成によれば、コンテンツ提示用情報の送信指示を受信したときに、該送信指示の送信元を識別し、更新指示履歴情報を参照して、識別した送信元に対応付けられた更新指示の内容を反映させたコンテンツ提示用情報を、該送信元に送信する。
【００３９】
したがって、上記送信元は、自身が行った更新指示が反映されたコンテンツ提示用情報を受信することができる。
【００４０】
なお、上記コンテンツ管理装置は、コンピュータによって実現してもよく、この場合には、コンピュータを上記コンテンツ管理装置の各手段として動作させることにより、上記コンテンツ管理装置をコンピュータにて実現させる制御プログラム、及びそれを記録したコンピュータ読み取り可能な記録媒体も本発明の範疇に入る。
【００４１】
また、上記コンテンツ管理装置を備えたテレビジョン受像機であれば、上記コンテンツ管理装置と同様の効果を奏する。
【発明の効果】
【００４２】
以上のように、本発明のコンテンツ管理装置は、コンテンツをユーザに提示するためのコンテンツ提示用情報の更新指示を受信したときに、該更新指示の送信元を識別する識別手段と、上記送信元と上記コンテンツ提示用情報との対応を示す対応情報を参照して、複数のコンテンツ提示用情報のうち、上記識別手段の識別した送信元に対応するコンテンツ提示用情報を特定し、該特定したコンテンツ提示用情報を更新する更新手段とを備えている構成である。
【００４３】
また、本発明のコンテンツ管理方法は、以上のように、コンテンツをユーザに提示するためのコンテンツ提示用情報の更新指示を受信したときに、該更新指示の送信元を識別する識別ステップと、上記送信元と上記コンテンツ提示用情報との対応を示す対応情報を参照して、複数のコンテンツ提示用情報のうち、上記識別ステップで識別した送信元に対応するコンテンツ提示用情報を特定し、該特定したコンテンツ提示用情報を更新する更新ステップとを含む構成である。
【００４４】
そして、本発明の他のコンテンツ管理装置は、以上のように、コンテンツをユーザに提示するためのコンテンツ提示用情報の更新指示を受信したときに、該更新指示の送信元を識別する識別手段と、上記識別手段の識別した送信元と、受信した上記更新指示の内容とを対応付けた更新指示履歴情報を生成して記憶する履歴管理手段とを備えている構成である。
【００４５】
また、本発明の他のコンテンツ管理方法は、以上のように、コンテンツをユーザに提示するためのコンテンツ提示用情報の更新指示を受信したときに、該更新指示の送信元を識別する識別ステップと、上記識別ステップで識別した送信元と、受信した上記更新指示の内容とを対応付けた更新指示履歴情報を生成して記憶する履歴管理ステップとを含む構成である。
【００４６】
したがって、あるユーザがコンテンツ提示用情報に対して行った更新の影響が他のユーザに及ぶことを防ぐことが可能になるという効果を奏する。
【図面の簡単な説明】
【００４７】
【図１】本発明の一実施形態を示すものであり、コンテンツ管理システムを構成するコンテンツ管理装置、記録再生装置、および再生装置の要部構成を示すブロック図である。
【図２】コンテンツをユーザに提示するためのコンテンツ提示用情報の一例を示す図である。
【図３】上記コンテンツ管理装置が格納する使用リスト判定用情報の一例を示す図である。
【図４】上記コンテンツ管理装置が格納する家庭内用リストの更新例を示す図である。
【図５】上記家庭内用リストの更新前後における画面例を示す図であり、同図（ａ）は更新前の画面例を示し、同図（ｂ）は更新後の画面例を示している。
【図６】上記コンテンツ管理装置が格納する家庭外用リストの更新例を示す図である。
【図７】上記家庭外用リストの更新前後における画面例を示す図であり、同図（ａ）は更新前の画面例を示し、同図（ｂ）は更新後の画面例を示している。
【図８】上記コンテンツ管理システムにおけるリストの更新と表示に関する処理の一例を示すフローチャートである。
【発明を実施するための形態】
【００４８】
以下、本発明の実施の形態について、図１〜図８に基づいて詳細に説明する。
【００４９】
《システムの構成》
まず、本実施形態に係るコンテンツ管理システム４の構成を図１に基づいて説明する。図１は、コンテンツ管理システム４を構成するコンテンツ管理装置１、記録再生装置２、および再生装置３の要部構成を示すブロック図である。
【００５０】
〈コンテンツ管理システム４〉
コンテンツ管理システム４は、録画された放送コンテンツを管理するシステムであり、図示のように、コンテンツ管理装置１と記録再生装置２とが家庭内ネットワーク（ローカルエリアネットワーク）を介して接続されている。そして、再生装置３が、この家庭内ネットワークに対して、外部ネットワークを介して接続している。つまり、コンテンツ管理装置１と記録再生装置２とは、同じ家庭内に配置された機器であり、再生装置３は家庭外から家庭内ネットワークに接続する機器である。
【００５１】
このコンテンツ管理システム４では、記録再生装置２が録画した放送コンテンツをコンテンツ管理装置１にダビングすることができる。そして、コンテンツ管理装置１にダビングされたコンテンツは、家庭内ネットワークに接続する各機器によって視聴可能となる。つまり、記録再生装置２および再生装置３は、コンテンツ管理装置１にダビングされたコンテンツを家庭内ネットワークを介して取得し、再生することができる。なお、ダビングとは、コンテンツのコピーまたは移動を意味する。
【００５２】
〈コンテンツ管理装置１〉
コンテンツ管理装置１は、記録再生装置２のコンテンツのダビング先であり、ダビングされたコンテンツを管理する。ここでは、コンテンツ管理装置１が、ＮＡＳ（Network Attached Storage）である例を説明する。なお、コンテンツ管理装置１は、コンテンツサーバ機能を有する機器（例えばＤＬＮＡにおけるＤＭＳ機器）であればよく、ＮＡＳに限られない。例えば、記録再生機能を備えたＨＤＤレコーダのような記録再生装置であってもよいし、テレビ放送を受信可能なテレビジョン受像機（以下、単にテレビと記載する）であってもよい。
【００５３】
図示のように、コンテンツ管理装置１は、管理装置制御部１０、管理装置記憶部１１、および管理装置通信部１２を備えている。なお、コンテンツ管理装置１は、これら以外にも、記録再生装置２から受信したコンテンツを記録する処理に関するハードウェア等のブロックを含んでいるが、図示を省略している。
【００５４】
管理装置制御部１０は、コンテンツ管理装置１の機能を統括して制御するものであり、コンテンツ管理部（識別手段、更新手段）１３およびリスト送信部（送信手段）１４を含む。なお、管理装置制御部１０は、これら以外にも、コンテンツのダビングを制御するブロックや、コンテンツを記録再生装置２や再生装置３に送信する制御を行うブロック等を含んでいるが、図示を省略している。
【００５５】
コンテンツ管理部１３は、管理装置記憶部１１に格納されているコンテンツをユーザに提示するためのコンテンツ提示用情報を更新する。これにより、コンテンツのユーザへの提示の態様を変化させることができる。
【００５６】
詳細は後述するが、コンテンツ管理部１３は、更新指示の送信元を識別し、複数のコンテンツ提示用情報のうち、この識別結果に応じたコンテンツ提示用情報を更新する。これにより、あるユーザが行った更新の影響が他のユーザに及ぶことを防ぐことができる。なお、送信元の識別処理と、コンテンツ提示用情報の更新処理とを、別のブロックで実行するように構成してもよい。
【００５７】
リスト送信部１４は、他の機器（ここでは記録再生装置２および再生装置３）からの送信指示に応じて、上記コンテンツ提示用情報を送信する。上記のように、コンテンツ提示用情報は複数存在するため、リスト送信部１４は、送信指示の送信元に応じたコンテンツ提示用情報を送信する。このコンテンツ提示用情報を受信した記録再生装置２および再生装置３では、この情報に基づいてコンテンツのリストを表示する。
【００５８】
管理装置記憶部１１は、コンテンツ管理装置１で使用する各種データを格納する記憶装置であり、図示の例では、コンテンツ１５、家庭内用リスト（コンテンツ提示用情報）１６、家庭外用リスト（コンテンツ提示用情報）１７、および使用リスト判定用情報（対応情報）１８が格納されている。
【００５９】
コンテンツ１５は、コンテンツ管理装置１が管理するコンテンツの実体データである。なお、コンテンツ１５は、家庭内用リスト１６および家庭外用リスト１７とは別の記憶装置に格納してもよい。
【００６０】
家庭内用リスト１６は、家庭内の機器（ここでは記録再生装置２）に、コンテンツ管理装置１が管理するコンテンツのリストを表示させるためのコンテンツ提示用情報である。つまり、コンテンツ管理部１３は、記録再生装置２からリストの更新指示を受信したときには、家庭内用リスト１６を更新する。また、リスト送信部１４は、記録再生装置２からリストの送信指示を受信したときには、家庭内用リスト１６を送信する。
【００６１】
家庭外用リスト１７は、家庭外の機器（ここでは再生装置３）に、コンテンツ管理装置１が管理するコンテンツのリストを表示させるためのコンテンツ提示用情報である。つまり、コンテンツ管理部１３は、再生装置３からリストの更新指示を受信したときには、家庭外用リスト１７を更新する。また、リスト送信部１４は、再生装置３からリストの送信指示を受信したときには、家庭外用リスト１７を送信する。
【００６２】
使用リスト判定用情報１８は、何れのコンテンツ提示用情報を使用するかを判定するための情報であり、各コンテンツ提示用情報と、それに対応する機器やユーザ等を示す。ここでは、家庭内用リスト１６を使用する機器として記録再生装置２が登録され、家庭外用リスト１７を使用する機器として再生装置３が登録された使用リスト判定用情報１８を用いる例を説明する。この使用リスト判定用情報１８を参照することにより、記録再生装置２については家庭内用リスト１６を使用し、再生装置３については家庭外用リスト１７を使用するという使い分けが可能になる。
【００６３】
このように、コンテンツ管理装置１は、２つのコンテンツ提示用情報を格納しており、要求元に応じたコンテンツ提示用情報を使用する。これにより、記録再生装置２と再生装置３とが、それぞれ独立にコンテンツ提示用情報を変更し、この変更内容に応じた異なる態様でコンテンツを提示することを可能にしている。
【００６４】
例えば、記録再生装置２が、コンテンツ１５のタイトルを変更した場合には、家庭内用リスト１６にはこの変更が反映され、家庭外用リスト１７には反映されない。このため、再生装置３がコンテンツのリストを表示させるときには、タイトルが変更されていない状態で表示させることができる。
【００６５】
管理装置通信部１２は、コンテンツ管理装置１が他の装置（ここでは記録再生装置２および再生装置３）と通信するためのものである。ここでは、コンテンツ管理装置１はＤＬＮＡ対応機器であって、管理装置通信部１２を介して家庭内ネットワーク（家庭内ＬＡＮ）に接続することを想定しており、管理装置通信部１２はＤＬＮＡ規格に準拠した通信処理を行う。つまり、コンテンツ管理装置１は、ＤＬＮＡのサーバー（ＤＭＳ：Digital Media Server）機器である。なお、管理装置通信部１２は、コンテンツを他の機器と送受信可能なものであればよく、この例に限られない。また、管理装置通信部１２は、ネットワークに有線接続するものであってもよいし、無線接続するものであってもよい。
【００６６】
〈記録再生装置２〉
記録再生装置２は、放送コンテンツを記録し、再生し、ダビングする機能を有する装置である。ここでは、記録再生装置２が、録画機能付きテレビである例を説明する。なお、記録再生装置２は、コンテンツ管理装置１が管理するコンテンツを取得して再生する装置であればよく、この例に限られない。
【００６７】
図示のように、記録再生装置２は、記録再生装置制御部２０、記録再生装置記憶部２１、記録再生装置通信部２２、記録再生装置入力部２３、および記録再生装置表示部２４を備えている。なお、記録再生装置２は、これら以外にも、放送を受信するブロックや、デコードを行うブロック等を含んでいるが、図示を省略している。
【００６８】
記録再生装置制御部２０は、記録再生装置２の機能を統括して制御するものであり、記録再生装置管理部２５および記録再生装置リスト取得部２６を含む。なお、記録再生装置制御部２０は、これら以外にも、コンテンツの録画、再生、ダビングの機能を実現するためのブロックや、コンテンツ管理装置１にダビングしたコンテンツを再生するためのブロック等を含んでいるが、図示を省略している。
【００６９】
記録再生装置管理部２５は、記録再生装置２が再生するコンテンツのコンテンツ提示用情報を編集する。なお、記録再生装置２が再生するコンテンツには、記録再生装置２が録画したコンテンツと、コンテンツ管理装置１に記録されているコンテンツとがある。記録再生装置２が録画したコンテンツのコンテンツ提示用情報は、後述の内部コンテンツリスト２８であり、コンテンツ管理装置１に記録されているコンテンツのコンテンツ提示用情報は家庭内用リスト１６である。
【００７０】
記録再生装置リスト取得部２６は、コンテンツ管理装置１が管理するコンテンツのリストを取得して、記録再生装置表示部２４に表示する。上述のように、コンテンツ管理装置１が管理するコンテンツのリストには、家庭内用リスト１６と家庭外用リスト１７とがあり、記録再生装置リスト取得部２６は、このうち家庭内用リスト１６を取得する。
【００７１】
記録再生装置記憶部２１は、記録再生装置２が使用する各種データを格納する記憶装置であり、図示の例では、コンテンツ２７および内部コンテンツリスト２８が格納されている。
【００７２】
コンテンツ２７は、記録再生装置２が記録したコンテンツの実体データであり、内部コンテンツリスト２８は、コンテンツ２７に含まれるコンテンツのリストである。記録再生装置リスト取得部２６は、記録再生装置２に記録されたコンテンツのリストを表示させるユーザ操作が行われたときに、内部コンテンツリスト２８を表示する。なお、家庭内用リスト１６と内部コンテンツリスト２８との両方を取得して、これらを統合したコンテンツリストを表示するようにしてもよい。
【００７３】
記録再生装置通信部２２は、記録再生装置２が他の装置と通信するためのものである。ここでは、コンテンツ管理装置１がＤＬＮＡ対応機器であって、ＤＬＮＡ規格に準拠した通信処理を行うことを想定しているため、記録再生装置通信部２２もＤＬＮＡ規格に準拠した通信処理を行うものとする。
【００７４】
記録再生装置入力部２３は、ユーザの入力操作を受け付けて、受け付けた入力操作に対応する制御信号を記録再生装置制御部２０に出力する。記録再生装置入力部２３は、例えば図示しないリモコンから送信される信号を受信するものであってもよい。
【００７５】
記録再生装置表示部２４は、記録再生装置制御部２０の制御に従って画像を表示する表示装置である。なお、記録再生装置表示部２４は、記録再生装置２に外付けされた外部の装置であってもよい。記録再生装置記憶部２１および記録再生装置入力部２３も同様である。
【００７６】
〈再生装置３〉
再生装置３は、家庭外から外部ネットワークを介して家庭内ネットワークに接続し、コンテンツ管理装置１が管理するコンテンツを再生する機能を有する装置である。ここでは、再生装置３がスマートフォンである例を説明する。なお、再生装置３は、コンテンツ管理装置１が管理するコンテンツを取得して再生する装置であればよく、この例に限られない。例えば、タブレット端末やＰＤＡ（Personal Digital Assistance）のような携帯型の機器であってもよいし、据え置き型の機器であってもよい。
【００７７】
図示のように、再生装置３は、再生装置制御部３０、再生装置記憶部３１、再生装置通信部３２、再生装置入力部３３、および再生装置表示部３４を備えている。無論、再生装置３は、これら以外ブロックを備えていてもよい。
【００７８】
再生装置制御部３０は、再生装置３の機能を統括して制御するものであり、再生装置管理部３５および再生装置リスト取得部３６を含む。無論、再生装置制御部３０は、これら以外のブロックを含んでいてもよい。
【００７９】
再生装置管理部３５は、再生装置３が再生するコンテンツのコンテンツ提示用情報を編集する。ここでは、再生装置３はコンテンツを格納していない想定であるため、再生装置管理部３５は、コンテンツ管理装置１に記録されているコンテンツのコンテンツ提示用情報である家庭外用リスト１７を編集する。
【００８０】
再生装置リスト取得部３６は、コンテンツ管理装置１が管理するコンテンツのリストを取得して、再生装置表示部３４に表示する。上述のように、コンテンツ管理装置１が管理するコンテンツ提示用情報には、家庭内用リスト１６と家庭外用リスト１７とがあり、再生装置リスト取得部３６は、このうち家庭外用リスト１７を取得する。
【００８１】
再生装置記憶部３１は、再生装置３が使用する各種データを格納する記憶装置である。
【００８２】
再生装置通信部３２は、再生装置３が他の装置と通信するためのものである。ここでは、外部ネットワークがインターネットであることを想定しているため、再生装置通信部３２は、インターネットを介してコンテンツ管理装置１からコンテンツをダウンロード（あるいはストリーミング）することのできるものとする。
【００８３】
再生装置入力部３３は、ユーザの入力操作を受け付けて、受け付けた入力操作に対応する制御信号を再生装置制御部３０に出力する。再生装置入力部３３は、再生装置表示部３４の表示面に対する入力操作を受け付けるタッチパネルであってもよい。
【００８４】
再生装置表示部３４は、再生装置制御部３０の制御に従って画像を表示する表示装置である。なお、再生装置表示部３４は、再生装置３に外付けされた外部の装置であってもよい。再生装置記憶部３１および再生装置入力部３３も同様である。
【００８５】
《コンテンツ提示用情報のデータ例》
続いて、コンテンツをユーザに提示するためのコンテンツ提示用情報について、図２に基づいて説明する。図２は、コンテンツ提示用情報の一例を示す図である。なお、上述の家庭内用リスト１６、家庭外用リスト１７、および内部コンテンツリスト２８がこのコンテンツ提示用情報に相当する。
【００８６】
図示のコンテンツ提示用情報は、再生の候補となる各コンテンツについて、そのコンテンツを管理するために各コンテンツに一意に割り当てられたＩＤ、コンテンツのタイトル、ダビング可能回数、および録画日時が対応付けられた情報である。なお、これらの情報の他にも、録画後に視聴されたか未視聴であるかを示す情報や録画モードを示す情報等が含まれていてもよい。
【００８７】
このようなコンテンツ提示用情報を参照することにより、どのようなコンテンツが再生可能であるかをユーザに認識させることができる。具体的には、記録再生装置２は、家庭内用リスト１６を参照することにより、コンテンツ管理装置１から取得して再生可能なコンテンツを一覧表示することができる。同様に、再生装置３は、家庭外用リスト１７を参照することにより、コンテンツ管理装置１から取得して再生可能なコンテンツを一覧表示することができる。また、記録再生装置２は、内部コンテンツリスト２８を参照することにより、自装置に格納されているコンテンツ２７を一覧表示することができる。
【００８８】
なお、コンテンツ提示用情報は、記録再生装置管理部２５または再生装置管理部３５による編集によって更新される他、コンテンツが追加されたとき等にも更新される。
【００８９】
例えば、コンテンツ管理装置１にコンテンツが追加されたときには、コンテンツ管理部１３が、追加されたコンテンツを家庭内用リスト１６および家庭外用リスト１７の両方に反映させる。削除やコピーの場合も同様である。また、記録再生装置２にコンテンツが追加されたときには、記録再生装置管理部２５が、追加されたコンテンツを内部コンテンツリスト２８に反映させる。
【００９０】
《使用リスト判定用情報のデータ例》
続いて、使用リスト判定用情報１８について、図３に基づいて説明する。図３は、使用リスト判定用情報１８の一例を示す図である。
【００９１】
図示の使用リスト判定用情報１８では、家庭内用リスト１６に対して、機器ＩＤ：ＸＹＺが対応付けられている。これは、記録再生装置２の機器ＩＤである。また、家庭外用リスト１７に対して、機器ＩＤ：ＺＹＸが対応付けられている。これは、再生装置３の機器ＩＤである。
【００９２】
つまり、この使用リスト判定用情報１８を用いた場合、機器ＩＤがＸＹＺである記録再生装置２には、家庭内用リスト１６が適用され、機器ＩＤがＺＹＸである再生装置３には、家庭外用リスト１７が適用される。
【００９３】
なお、使用リスト判定用情報１８は、何れのリストを適用するかを判定できるものであればよく、この例に限られない。例えば、使用リスト判定用情報１８を、各コンテンツ提示用情報に対してユーザＩＤを対応付けたデータとして、ユーザ毎に使用するリストを定義してもよい。
【００９４】
また、使用リスト判定用情報１８は、コンテンツ管理装置１へのアクセス元が接続するネットワークに応じたコンテンツ提示用情報を示すものであってもよい。具体的には、コンテンツ管理装置１と同じ家庭内ネットワークに直接接続しているか、外部ネットワークを介して接続しているかに応じて、家庭内用リスト１６または家庭外用リスト１７が対応付けられたものであってもよい。
【００９５】
《コンテンツ提示用情報の更新と画面例》
次に、コンテンツ提示用情報の更新と、それに伴う表示画面の変化について、図４から図７に基づいて説明する。
【００９６】
図４は、家庭内用リスト１６の更新例を示す図である。そして、図５は、家庭内用リスト１６の更新前後における画面例を示す図であり、同図（ａ）は更新前の画面例を示し、同図（ｂ）は更新後の画面例を示している。
【００９７】
また、図６は、家庭外用リスト１７の更新例を示す図である。そして、図７は、家庭外用リスト１７の更新前後における画面例を示す図であり、同図（ａ）は更新前の画面例を示し、同図（ｂ）は更新後の画面例を示している。なお、図４、図６では、家庭内用リスト１６および家庭外用リスト１７において、タイトルとＩＤ以外の情報の図示を省略している。
【００９８】
〈タイトルのリネーム〉
図４の例では、記録再生装置２でＩＤが「ＹＹＹ」のコンテンツのタイトルを「ニュース○○」から「ニュース□□」にリネームする処理を行ったことを想定している。この場合、コンテンツ管理装置１は、家庭内用リスト１６において、ＩＤが「ＹＹＹ」のコンテンツのタイトルを「ニュース○○」から「ニュース□□」に更新する。
【００９９】
これにより、記録再生装置２がコンテンツ管理装置１のコンテンツのリストを表示させたときの画面は、図５のように変化する。
【０１００】
すなわち、記録再生装置２が、リネーム前にコンテンツ管理装置１のコンテンツのリストを表示させたときには、更新前の家庭内用リスト１６に基づいて表示が行われる。このため、図５（ａ）に示すように、「○○クッキング」、「ニュース○○」、「○○スポーツ」等のタイトルのコンテンツが一覧表示される。また、図示の例では、録画後未再生であることを示す「ＮＥＷ」の文字、録画を行った日時、録画時間、録画モード、ダビング可能な残り回数が表示されている。
【０１０１】
一方、記録再生装置２が、リネーム後にコンテンツ管理装置１のコンテンツのリストを表示させたときには、更新後の家庭内用リスト１６に基づいて表示が行われる。このため、図５（ｂ）に示すように、上から２番目のコンテンツのタイトルが「ニュース□□」に変わる。
【０１０２】
なお、再生装置３がコンテンツ管理装置１にコンテンツ提示用情報を要求したときには、このような更新が行われていない家庭外用リスト１７が送信されるため、再生装置３では図５（ｂ）の画面は表示されない。
【０１０３】
〈コンテンツの削除〉
図６の例では、再生装置３でＩＤが「ＺＺＺ」のコンテンツを削除する処理を行ったことを想定している。この場合、コンテンツ管理装置１は、家庭外用リスト１７において、ＩＤが「ＺＺＺ」のコンテンツを削除する。なお、このコンテンツのデータ実体は削除しない。削除してしまうと、記録再生装置２がこのコンテンツにアクセス不能となるためである。
【０１０４】
これにより、再生装置３がコンテンツ管理装置１のコンテンツのリストを表示させたときの画面は、図７のように変化する。
【０１０５】
すなわち、再生装置３が、上記の削除を行う前にコンテンツ管理装置１のコンテンツのリストを表示させたときには、更新前の家庭外用リスト１７に基づいて表示が行われる。このため、図７（ａ）に示すように、「○○クッキング」、「ニュース○○」、「○○スポーツ」等のタイトルのコンテンツが一覧表示される。
【０１０６】
一方、再生装置３が、上記の削除を行った後にコンテンツ管理装置１のコンテンツのリストを表示させたときには、更新後の家庭外用リスト１７に基づいて表示が行われる。このため、図７（ｂ）に示すように、「○○スポーツ」は表示されなくなる。
【０１０７】
なお、記録再生装置２がコンテンツ管理装置１にコンテンツ提示用情報を要求したときには、このような更新が行われていない家庭内用リスト１６が送信されるため、記録再生装置２では図７（ｂ）の画面は表示されない。
【０１０８】
《処理の流れ》
続いて、コンテンツ管理システム４における処理の流れを図８に基づいて説明する。図８は、コンテンツ管理システム４におけるリストの更新と表示に関する処理（コンテンツ管理方法）の一例を示すフローチャートである。
【０１０９】
なお、同図では、コンテンツ名（タイトル）を変更する例を示しているが、削除の場合も同様である。また、同図では再生装置３がコンテンツ名を変更する例を示しているが、記録再生装置２がコンテンツ名を変更した場合には、更新されるリストが家庭内用リスト１６に変わるだけで処理内容は同様である。
【０１１０】
まず、再生装置３の再生装置管理部３５は、再生装置入力部３３が受け付けたユーザ操作に従って、コンテンツ管理装置１に対して、コンテンツ名の変更指示を行う（Ｓ１０）。具体的には、再生装置管理部３５は、コンテンツ名変更の対象となるコンテンツのＩＤと、変更後のコンテンツ名と、再生装置３の識別情報（機器ＩＤ）とを含む変更指示を、再生装置通信部３２を介して送信する。
【０１１１】
次に、この指示を受信したコンテンツ管理装置１では、コンテンツ管理部１３が、受信した変更指示に含まれる識別情報から、この変更指示の送信元が再生装置３であることを識別する（識別ステップ）。そして、使用リスト判定用情報１８を参照して、受信した識別情報に対応する機器のコンテンツ提示用情報が、家庭内用リスト１６であるか、家庭外用リスト１７であるか判断する。
【０１１２】
ここでは、上述のように、使用リスト判定用情報１８において、再生装置３が家庭外用リスト１７に対応付けられていることを想定しているので、家庭外用リスト１７を使用することを決定する。そして、受信した指示に従って、家庭外用リスト１７におけるコンテンツ名を変更する（Ｓ１１、更新ステップ）。
【０１１３】
ここで、図示の例では、記録再生装置２がコンテンツ管理装置１に対して、コンテンツリスト（コンテンツ提示用情報）を要求する（Ｓ１２）。具体的には、記録再生装置２の記録再生装置入力部２３が、コンテンツ管理装置１に格納されているコンテンツのリストを表示させるユーザ操作を受け付けたときに、記録再生装置リスト取得部２６がコンテンツ提示用情報の送信指示を送信する。また、このときに、記録再生装置２の識別情報（機器ＩＤ）を送信する。これらの送信は、記録再生装置通信部２２を介して行われる。
【０１１４】
この要求を受信したコンテンツ管理装置１では、コンテンツ管理部１３が、受信した送信指示に含まれる識別情報から、この指示の送信元が記録再生装置２であることを識別する。そして、使用リスト判定用情報１８を参照して、記録再生装置２に対応するコンテンツ提示用情報が、家庭内用リスト１６であるか、家庭外用リスト１７であるか判断する。
【０１１５】
ここでは、上述のように、使用リスト判定用情報１８において、記録再生装置２が家庭内用リスト１６に対応付けられていることを想定している。このため、コンテンツ管理部１３は、家庭内用リスト１６を読み出し（Ｓ１３）、これを管理装置通信部１２を介して記録再生装置２に送信する（Ｓ１４）。
【０１１６】
そして、記録再生装置２の記録再生装置リスト取得部２６は、Ｓ１４で送信された家庭内用リスト１６を取得し（Ｓ１５）、記録再生装置表示部２４に表示させる（Ｓ１６）。この表示は、家庭内用リスト１６に基づいて行われるため、Ｓ１０、Ｓ１１の変更が反映されていないものとなる。
【０１１７】
一方、図示の例では、再生装置３もコンテンツ管理装置１に対して、コンテンツリスト（コンテンツ提示用情報）を要求する（Ｓ１７）。具体的には、再生装置３の再生装置入力部３３が、コンテンツ管理装置１に格納されているコンテンツのリストを表示させるユーザ操作を受け付けたときに、再生装置リスト取得部３６がコンテンツ提示用情報の送信指示を送信する。また、このときに、再生装置３の識別情報（機器ＩＤ）を送信する。これらの送信は、再生装置通信部３２を介して行われる。
【０１１８】
この要求を受信したコンテンツ管理装置１では、コンテンツ管理部１３が、受信した送信指示に含まれる識別情報から、この指示の送信元が再生装置３であることを識別する。そして、使用リスト判定用情報１８を参照して、再生装置３に対応するコンテンツ提示用情報が、家庭内用リスト１６であるか、家庭外用リスト１７であるか判断する。
【０１１９】
ここでは、上述のように、使用リスト判定用情報１８において、再生装置３が家庭外用リスト１７に対応付けられていることを想定している。このため、コンテンツ管理部１３は、家庭外用リスト１７を読み出し（Ｓ１８）、これを管理装置通信部１２を介して再生装置３に送信する（Ｓ１９）。
【０１２０】
そして、再生装置３の再生装置リスト取得部３６は、Ｓ１９で送信された家庭外用リスト１７を取得し（Ｓ２０）、再生装置表示部３４に表示させる（Ｓ２１）。この表示は、家庭外用リスト１７に基づいて行われるため、Ｓ１０、Ｓ１１の変更が反映されたものとなる。
【０１２１】
なお、上記の例では、記録再生装置２および再生装置３が、自装置の機器ＩＤを送信することによって、コンテンツ管理装置１に識別を行わせているが、識別の態様はこれに限られない。例えば、記録再生装置２および再生装置３がユーザＩＤ等を送信して識別を行わせてもよい。
【０１２２】
また、記録再生装置２および再生装置３からは識別のための情報を送信せず、コンテンツ管理装置１側で、通信相手（記録再生装置２または再生装置３）が、家庭内ネットワークに直接接続しているか、外部ネットワークを介して接続しているかを検出することにより、記録再生装置２と再生装置３とを識別してもよい。
【０１２３】
《コンテンツ提示用情報について》
上記では、記録再生装置２用のコンテンツ提示用情報として家庭内用リスト１６を用い、再生装置３用のコンテンツ提示用情報として家庭外用リスト１７を用いる例を示したが、コンテンツ提示用情報はこれらの例に限られない。
【０１２４】
例えば、ユーザやユーザのグループ毎にコンテンツ提示用情報を用意しても構わない。この場合、ユーザやユーザのグループに対して識別情報を予め付与しておき、使用リスト判定用情報１８において、コンテンツ提示用情報と、この識別情報とを対応付けておく。そして、記録再生装置２または再生装置３は、コンテンツ提示用情報の要求時、およびコンテンツ提示用情報の更新時に、この識別情報をコンテンツ管理装置１に送信する。これにより、記録再生装置２または再生装置３のユーザに応じたコンテンツ提示用情報を更新し、またこれを送信することができる。
【０１２５】
また、コンテンツ提示用情報は、コンテンツに付加された識別情報に基づいて生成してもよい。例えば、コンテンツの録画時やダビング時、あるいは録画された後に、そのコンテンツに対してユーザＩＤや機器ＩＤ等の識別情報を対応付けて記録してもよい。そして、リスト送信部１４は、リストの送信要求と共に受信した識別情報と同じ識別情報が付加されたコンテンツを抽出してコンテンツ提示用情報を生成し、これを送信してもよい。更新の場合も同様である。これにより、複数のユーザで共用されるコンテンツ管理装置１を、自分専用の装置と同じ感覚で使用することが可能になる。
【０１２６】
《コンテンツ提示用情報の統合》
コンテンツ管理装置１は、複数のコンテンツ提示用情報（家庭内用リスト１６および家庭外用リスト１７）を統合してもよい。これにより、コンテンツのタイトル等を一元管理することが可能になる。
【０１２７】
この場合、コンテンツ管理装置１は、家庭内用リスト１６と家庭外用リスト１７とを比較して、タイトルが異なっているコンテンツを特定する。そして、記録再生装置２からコンテンツ提示用情報の統合指示を受信したときには、タイトルが異なっていることを特定したコンテンツに対し、リネームされたことを示す情報およびリネーム内容を示す情報を対応付けた家庭内用リスト１６を送信する。
【０１２８】
これを受信した記録再生装置２は、家庭内用リスト１６に基づいてコンテンツのリストを表示する。このとき、リネームされたことを示す情報が対応付けられたコンテンツには、例えば「リネーム」等の文字を表示して、リネームされたことをユーザに示すことが好ましい。
【０１２９】
そして、記録再生装置２のユーザが、例えばリネームされたコンテンツに対して、選択のカーソルを合わせる等の動作を行ったタイミングで、家庭外用リスト１７のリネーム内容を表示し、このリネームを反映させるか選択させる。
【０１３０】
ここで、リネームを反映させることが選択された場合、記録再生装置２は、その旨をコンテンツ管理装置１に通知する。これにより、コンテンツ管理装置１は、家庭内用リスト１６および家庭外用リスト１７における当該コンテンツのタイトルを上記リネームが反映されたものに統一する。つまり、この場合、家庭外用リスト１７のタイトルに合わせる。
【０１３１】
一方、リネームを反映させないことが選択された場合、記録再生装置２は、その旨をコンテンツ管理装置１に通知する。これにより、コンテンツ管理装置１は、家庭内用リスト１６および家庭外用リスト１７における当該コンテンツのタイトルを上記リネームが反映される前のものに統一する。つまり、この場合、家庭内用リスト１６のタイトルに合わせる。
【０１３２】
以上のような処理により、複数のコンテンツ提示用情報におけるタイトルが統一される。また、同様の処理により、コンテンツ提示用情報から削除するコンテンツを、コンテンツ提示用情報間で統一することもできる。なお、統合の結果、削除となったコンテンツについては、これを参照することのできるコンテンツ提示用情報が存在しなくなるため、そのデータ実体を削除する。
【０１３３】
《履歴情報の利用》
上記では、複数のコンテンツ提示用情報（家庭内用リスト１６および家庭外用リスト１７）を用いる例を示したが、この例に限られない。
【０１３４】
例えば、受信した更新指示をコンテンツ提示用情報に反映させるのではなく、更新指示の内容を、その更新指示の要求元と対応付けた更新指示履歴情報として記憶してもよい。そして、コンテンツ提示用情報の送信指示の受信時に、この指示の送信元を識別し、更新指示履歴情報において識別した送信元に対応付けられた更新指示の内容を反映させたコンテンツ提示用情報を生成し、これを送信してもよい。
【０１３５】
この場合、コンテンツ管理装置１は、コンテンツ提示用情報の更新指示を受信したときに、該更新指示の送信元を識別する識別手段と、該識別手段の識別した送信元と、受信した更新指示の内容とを対応付けた更新指示履歴情報を生成して記憶する履歴管理手段と、更新指示履歴情報を参照して、上記識別手段が識別した送信元に対応付けられた更新指示の内容を反映させたコンテンツ提示用情報を送信する送信手段とを備えていればよい。
【０１３６】
そして、上記コンテンツ管理装置１によるコンテンツ管理方法は、下記のようなものであってもよい。
【０１３７】
すなわち、上記識別手段は、コンテンツ提示用情報の更新指示（例えばタイトル変更や削除）を受信したときに、該更新指示の送信元（例えば記録再生装置２や再生装置３）を識別する（識別ステップ）。識別は、上記の例と同様に機器ＩＤで行ってもよいし、他の方法で行ってもよい。
【０１３８】
次に、上記履歴管理手段は、上記識別ステップで識別した送信元と、受信した上記更新指示の内容とを対応付けた更新指示履歴情報を生成して記憶する（履歴管理ステップ）。この対応情報は、使用リスト判定用情報１８と同様のものであればよい。
【０１３９】
ここで、上記識別手段は、コンテンツ提示用情報の送信指示を受信したときにも、該送信指示の送信元を識別する。この場合、上記送信手段が、上記更新指示履歴情報を参照して、上記識別手段が識別した送信元に対応付けられた更新指示の内容を反映させたコンテンツ提示用情報を、該送信元に送信する。
【０１４０】
このように、更新指示の内容をコンテンツ提示用情報に反映させるのではなく、更新指示履歴情報として記憶することによっても、あるユーザが行った更新の影響が他のユーザに及ぶことを防ぐことが可能になる。
【０１４１】
《変形例》
上記では、コンテンツ提示用情報の変更指示の具体例として、コンテンツのタイトル変更と、削除を挙げて説明を行ったが、コンテンツ提示用情報の変更指示は、コンテンツの提示の内容や態様を変えるための指示であればよく、これに限られない。例えば、コンテンツの表示順、分類方式、背景画像等を変える指示もこれに含まれる。
【０１４２】
さらに、本発明の主な特徴点はコンテンツの管理方法にあるため、このコンテンツの管理方法を実現するコンテンツ管理部１３およびリスト送信部１４等の機能を備えたコンテンツ管理装置であれば、上記コンテンツ管理装置１と同様の効果を奏する。つまり、コンテンツの記録等を行う装置と別体のコンテンツ管理装置も本発明の技術的範囲に含まれる。
【０１４３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１４４】
《ソフトウェアによる構成例》
最後に、コンテンツ管理装置１、記録再生装置２、および再生装置３の各ブロック、特に管理装置制御部１０、記録再生装置制御部２０、および再生装置制御部３０は、集積回路（ＩＣチップ）上に形成された論理回路によってハードウェア的に実現してもよいし、ＣＰＵ（Central Processing Unit）を用いてソフトウェア的に実現してもよい。
【０１４５】
後者の場合、コンテンツ管理装置１、記録再生装置２、および再生装置３は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるコンテンツ管理装置１、記録再生装置２、および再生装置３の制御プログラムのプログラムコード（実行形式プログラム、中間コードプログラム、ソースプログラム）をコンピュータで読み取り可能に記録した記録媒体を、コンテンツ管理装置１、記録再生装置２、および再生装置３に供給し、そのコンピュータ（またはＣＰＵやＭＰＵ）が記録媒体に記録されているプログラムコードを読み出し実行することによっても、達成可能である。
【０１４６】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＢＤ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１４７】
また、上記プログラムコードを通信ネットワークを介してコンテンツ管理装置１、記録再生装置２、および再生装置３に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１４８】
本発明は、録画した放送番組等のコンテンツの管理に利用することができる。
【符号の説明】
【０１４９】
１  コンテンツ管理装置
２  記録再生装置（ローカルエリアネットワーク内の機器）
３  再生装置（ローカルエリアネットワーク外の機器）
４  コンテンツ管理システム
１３  コンテンツ管理部（識別手段、更新手段）
１４  リスト送信部（送信手段）
１５  コンテンツ
１６  家庭内用リスト（コンテンツ提示用情報）
１７  家庭外用リスト（コンテンツ提示用情報）
１８  使用リスト判定用情報（対応情報）
【図１】
2013191935.tif 000003
【図２】
2013191935.tif 000004
【図３】
2013191935.tif 000005
【図４】
2013191935.tif 000006
【図５】
2013191935.tif 000007
【図６】
2013191935.tif 000008
【図７】
2013191935.tif 000009
【図８】
2013191935.tif 000010
【手続補正書】
【提出日】平成25年2月19日(2013.2.19)
【手続補正１】
【補正対象書類名】特許請求の範囲
【補正対象項目名】全文
【補正方法】変更
【補正の内容】
【特許請求の範囲】
【請求項１】
複数のユーザのアクセスの対象となるコンテンツを管理するコンテンツ管理装置であって、
上記コンテンツを上記ユーザに提示するためのコンテンツ提示用情報の更新指示を受信したときに、該更新指示の送信元が、上記コンテンツ管理装置が接続しているローカルエリアネットワーク内の機器であるか、該ローカルエリアネットワーク外の機器であるかを識別する識別手段と、
上記識別手段の識別結果に応じて、上記送信元と上記コンテンツ提示用情報との対応を示す対応情報を参照して、複数のコンテンツ提示用情報のうち、上記ローカルエリアネットワーク内の機器用のコンテンツ提示用情報、または上記ローカルエリアネットワーク外の機器用のコンテンツ提示用情報を更新する更新手段とを備えていることを特徴とするコンテンツ管理装置。
【請求項２】
上記識別手段は、上記コンテンツ提示用情報の送信指示を受信したときに、該送信指示の送信元を識別し、
上記対応情報を参照して、複数のコンテンツ提示用情報のうち、上記識別手段が識別した送信元に対応するコンテンツ提示用情報を、該送信元に送信する送信手段を備えていることを特徴とする請求項１に記載のコンテンツ管理装置。
【請求項３】
上記更新手段は、上記コンテンツの名称を変更する指示を受信したときに、上記識別手段が識別した送信元に対応するコンテンツ提示用情報において、当該コンテンツの名称を変更することを特徴とする請求項１または２に記載のコンテンツ管理装置。
【請求項４】
上記更新手段は、上記コンテンツを削除する指示を受信したときに、削除を指示されたコンテンツを、上記識別手段が識別した送信元に対応するコンテンツ提示用情報から削除することを特徴とする請求項１から３の何れか１項に記載のコンテンツ管理装置。
【請求項５】
複数のユーザのアクセスの対象となるコンテンツを管理するコンテンツ管理装置であって、
上記コンテンツを上記ユーザに提示するためのコンテンツ提示用情報の更新指示を受信したときに、該更新指示の送信元が、上記コンテンツ管理装置が接続しているローカルエリアネットワーク内の機器であるか、該ローカルエリアネットワーク外の機器であるかを識別する識別手段と、
上記識別手段の識別した送信元と、受信した上記更新指示の内容とを対応付けた更新指示履歴情報を生成して記憶する履歴管理手段とを備えていることを特徴とするコンテンツ管理装置。
【請求項６】
上記識別手段は、上記コンテンツ提示用情報の送信指示を受信したときに、該送信指示の送信元を識別し、
上記更新指示履歴情報を参照して、上記識別手段が識別した送信元に対応付けられた更新指示の内容を反映させたコンテンツ提示用情報を、該送信元に送信する送信手段を備えていることを特徴とする請求項５に記載のコンテンツ管理装置。
【請求項７】
複数のユーザのアクセスの対象となるコンテンツを管理するコンテンツ管理装置によるコンテンツ管理方法であって、
上記コンテンツを上記ユーザに提示するためのコンテンツ提示用情報の更新指示を受信したときに、該更新指示の送信元が、上記コンテンツ管理装置が接続しているローカルエリアネットワーク内の機器であるか、該ローカルエリアネットワーク外の機器であるかを識別する識別ステップと、
上記識別ステップにおける識別結果に応じて、上記送信元と上記コンテンツ提示用情報との対応を示す対応情報を参照して、複数のコンテンツ提示用情報のうち、上記ローカルエリアネットワーク内の機器用のコンテンツ提示用情報、または上記ローカルエリアネットワーク外の機器用のコンテンツ提示用情報を更新する更新ステップとを含むことを特徴とするコンテンツ管理方法。
【請求項８】
複数のユーザのアクセスの対象となるコンテンツを管理するコンテンツ管理装置によるコンテンツ管理方法であって、
上記コンテンツを上記ユーザに提示するためのコンテンツ提示用情報の更新指示を受信したときに、該更新指示の送信元が、上記コンテンツ管理装置が接続しているローカルエリアネットワーク内の機器であるか、該ローカルエリアネットワーク外の機器であるかを識別する識別ステップと、
上記識別ステップで識別した送信元と、受信した上記更新指示の内容とを対応付けた更新指示履歴情報を生成して記憶する履歴管理ステップとを含むことを特徴とするコンテンツ管理方法。
【請求項９】
請求項１から６の何れか１項に記載のコンテンツ管理装置を動作させるための制御プログラムであって、コンピュータを上記各手段として機能させるための制御プログラム。
【請求項１０】
請求項９に記載の制御プログラムを記録したコンピュータ読み取り可能な記録媒体。
【請求項１１】
請求項１から６の何れか１項に記載のコンテンツ管理装置を備えたテレビジョン受像機。